Podtech/llm-jp-corpus-v4-ja_patent huggingface dataset:
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
被検体の３次元領域の画像データに基づき前記被検体内の体腔路の３次元画像を連続したフレーム単位の仮想画像として生成する仮想画像生成手段と、
前記被検体内の体腔路を撮像する内視鏡からの内視鏡画像と、前記仮想画像と、前記被検体内の体腔路が分岐する全分岐点での前記仮想画像の複数の縮小画像とからなるナビゲーション画像を生成するナビゲーション画像生成手段と、
前記縮小画像の画像回転情報を記憶する回転情報記憶手段と、
前記画像回転情報に基づき前記ナビゲーション画像生成手段が生成する前記縮小画像を回転させる画像回転制御手段と
を備えたことを特徴とする挿入支援システム。
【請求項２】
前記回転情報記憶手段は、前記画像回転情報を前記仮想画像のフレーム情報と関連させて記憶する
ことを特徴とする請求項１に記載の挿入支援システム。
【請求項３】
前記画像回転情報を所定の回転角データと比較する回転量比較手段を有し、
前記画像回転制御手段は、前記回転量比較手段の比較結果に基づき、前記縮小画像の回転を制御する
ことを特徴とする請求項１に記載の挿入支援システム。
【請求項４】
前記被検体の体腔路が分岐する最初の分岐点での仮想画像に対する回転量を前記回転情報記憶手段から読み出し、この回転量情報を前記画像回転制御手段により回転された画像の表示と併せて表示する手段を有することを特徴とする請求項１に記載の挿入支援システム。
【請求項５】
現在の分岐点における仮想画像の挿入先の分岐穴の輪郭を抽出して抽象化した模式図に、それ以降の分岐点における挿入先の分岐穴の輪郭を抽出して抽象化した模式図を積層表示する手段を備えたことを特徴とする請求項１に記載の挿入支援システム。
【手続補正書】
【提出日】平成16年3月15日(2004.3.15)
【手続補正１】
【補正対象書類名】明細書
【補正対象項目名】特許請求の範囲
【補正方法】変更
【補正の内容】
【特許請求の範囲】
【請求項１】
複数の業務プログラムを含む業務アプリケーションの構成を表示するメニュー表示装置であって、
前記複数の業務プログラムの各々について、該業務プログラムを稼動するか否かを指定する指定手段と、
前記業務アプリケーションが起動された場合は、前記指定手段によって稼動すべきと指定された業務プログラムに対応するメニュー項目を表示する表示制御手段と、
を備えることを特徴とするメニュー表示装置。
【請求項２】
前記表示制御手段は、前記複数の業務プログラム同士における所定の実行順序に応じて前記メニュー項目を並べて表示することを特徴とする請求項１記載のメニュー表示装置。
【請求項３】
前記表示制御手段は、背景画像の上に前記メニュー項目を重ね合わせて表示することを特徴とする請求項１又は２記載のメニュー表示装置。
【請求項４】
コンピュータに、
業務アプリケーションを構成する複数の業務プログラムの各々について、該業務プログラムを稼動するか否かを指定する機能と、
業務アプリケーションが起動された場合は、前記稼動すべきと指定された業務プログラムに対応するメニュー項目を表示する機能と、
を実現させるためのプログラムを記録したコンピュータ読み取り可能な記憶媒体。
【手続補正書】
【提出日】平成16年3月18日(2004.3.18)
【手続補正１】
【補正対象書類名】明細書
【補正対象項目名】特許請求の範囲
【補正方法】変更
【補正の内容】
【特許請求の範囲】
【請求項１】
画素電極を有する第１基板と対向電極を有する第２基板との間に電気光学物質を配置してなる電気光学装置であって、
前記画素電極と前記対向電極とが前記電気光学物質を介して対向する領域を駆動領域とし、
前記第１基板の前記駆動領域には、所定方向に伸びアクティブ素子を介して前記画素電極に電気的接続されるデータ線と、前記データ線に電気的接続された第１配線と、入力端子と、前記第１配線と前記入力端子とに接続された半導体回路とが設けられ、
前記第２基板には、前記対向電極に電気的接続するための第２配線が設けられ、
前記第１基板には、前記駆動領域の前記第２配線が配置されている側とは反対側において前記データ線に沿って伸びるダミー電極部と、前記第１配線と前記入力端子との間を横切るダミー電極部とが連続的に形成されてなるダミー電極が設けられてなることを特徴とする電気光学装置。
【請求項２】
請求項１において、前記ダミー電極の前記第１配線と前記入力端子との間を横切るダミー電極部は、前記第１配線と前記入力端子との間の各々の距離はほぼ等しいことを特徴とする電気光学装置。
【請求項３】
請求項１又は２において、前記駆動領域の前記第２配線側において前記データ線に沿って伸びるダミー電極部と、前記第１配線と前記入力端子との間を横切るダミー電極部とが連続的に形成されてなる第２ダミー電極が前記ダミー電極とは分離されて設けられていることを特徴とする電気光学装置。
【請求項４】
請求項３において、前記第２ダミー電極における前記第１配線と前記入力端子との間を横切るダミー電極部は、前記ダミー電極における前記第１配線と前記入力端子との間を横切るダミー電極部よりも前記入力端子側に形成されていることを特徴とする電気光学装置。
【請求項５】
請求項１乃至請求項４において、前記２基板には、第２入力端子と、前記第２配線と前記第２入力端子とに接続された第２半導体回路とが設けられていることを特徴とする電気光学装置。
【請求項６】
画素電極を有する第１基板と対向電極を有する第２基板との間に電気光学物質を配置してなる電気光学装置であって、
前記画素電極と前記対向電極とが前記電気光学物質を介して対向する領域を駆動領域とし、
前記第１基板の前記駆動領域には、所定方向に伸びアクティブ素子を介して前記画素電極に電気的接続されるデータ線と、前記データ線に電気的接続された第１配線と、入力端子と、前記第１配線と前記入力端子とに接続された半導体回路とが設けられ、
前記第２基板には、前記対向電極に電気的接続するための第２配線が設けられ、
前記第１基板には、前記駆動領域の前記第２配線が配置されている側において前記データ線に沿って伸びるダミー電極部と、前記第１配線と前記入力端子との間を横切るダミー電極部とが連続的に形成されてなるダミー電極が設けられてなることを特徴とする電気光学装置。
【請求項７】
請求項６において、前記駆動領域の前記第２配線が配置されている側とは反対側において前記データ線に沿って伸びるダミー電極部と、前記第１配線と前記入力端子との間を横切るダミー電極部とが連続的に形成されてなる第２ダミー電極が前記ダミー電極とは分離されて設けられていることを特徴とする電気光学装置。
【請求項８】
請求項１乃至請求項７のいずれか１項に記載の電気光学装置を備えた電子機器。
【手続補正２】
【補正対象書類名】明細書
【補正対象項目名】００１３
【補正方法】変更
【補正の内容】
【００１３】
【課題を解決するための手段】
上記課題を解決するために本発明の電気光学装置は、画素電極を有する第１基板と対向電極を有する第２基板との間に電気光学物質を配置してなる電気光学装置であって、前記画素電極と前記対向電極とが前記電気光学物質を介して対向する領域を駆動領域とし、前記第１基板の前記駆動領域には、所定方向に伸びアクティブ素子を介して前記画素電極に電気的接続されるデータ線と、前記データ線に電気的接続された第１配線と、入力端子と、前記第１配線と前記入力端子とに接続された半導体回路とが設けられ、前記第２基板には、前記対向電極に電気的接続するための第２配線が設けられ、前記第１基板には、前記駆動領域の前記第２配線が配置されている側とは反対側において前記データ線に沿って伸びるダミー電極部と、前記第１配線と前記入力端子との間を横切るダミー電極部とが連続的に形成されてなるダミー電極が設けられてなることを特徴とする。
【手続補正書】
【提出日】平成16年10月4日(2004.10.4)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
スイッチバック方式又はスタック方式の自動両面プリントの画像形成装置に於いて、給紙トレイからの転写紙をレジストローラに付当ててレジストするためのループローラ（第１ローラ）、ＡＤＵを循環した転写紙をプレレジストするために転写紙を付当てるＡＤＵプレレジストローラ（第２ローラ）及び手差しトレイから給紙するための手差し給紙ローラ（第３ローラ）を全て同一のモーターにより駆動し、モーターをある方向に回転させた場合は該第１と第２ローラが駆動され、該方向と逆方向にモーターを回転させた場合は該第３ローラが駆動される様、モーターと各駆動系にワンウェイクラッチを配置したことを特徴とする画像形成装置。
【請求項２】
前記モーターの動作タイミングが、通紙経路上の第１ローラ、第２ローラ及び第３ローラのそれぞれの近傍に配置された３つのフォトセンサを転写紙先端又は後端が通過した点を基準として決定され、回転制御及び駆動を行うことを特徴とする請求項１に記載の画像形成装置。
【請求項３】
前記モーターがステッピングモーターであることを特徴とする請求項１又は２に記載の画像形成装置。
【手続補正３】
【補正対象書類名】明細書
【補正対象項目名】０００１
【補正方法】変更
【補正の内容】
【０００１】
【発明の属する技術分野】
本発明は、自動両面の画像形成装置に於いて、転写紙を搬送するためのローラを単一のモーターで駆動し、コストダウン及び小型化を実現するとともに電磁クラッチを不要とすることで信頼性が向上した画像形成装置に関するものである。
【手続補正４】
【補正対象書類名】明細書
【補正対象項目名】０００２
【補正方法】変更
【補正の内容】
【０００２】
【従来の技術】
従来機種では、給紙トレイからは、転写紙の紙曲がりを補正するためレジストローラに転写紙を付当てて一定時間後所定のループが生成されたらループローラ（第１ローラ）の駆動を一旦停止し、その後所定の条件が整ったらレジストローラ及びループローラを回転させ転写紙を給紙する。又、ＡＤＵ部からは、ＡＤＵ循環紙の紙曲がりを補正するためＡＤＵプレレジストローラ（第２ローラ）に転写紙を付当て一定時間後所定のループが生成されたらＡＤＵプレレジストローラを回転させ転写紙を給紙するか、ループ生成用のＡＤＵプレレジストローラの駆動を一旦停止し、所定の条件が整ったらＡＤＵプレレジストローラを回転させ転写紙を給紙する。又、手差しトレイからは、手差し給紙ローラ（第３ローラ）を所定時間回転させていることにより給紙する。
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】削除
【補正の内容】
【手続補正９】
【補正対象書類名】明細書
【補正対象項目名】０００７
【補正方法】削除
【補正の内容】
【手続補正１０】
【補正対象書類名】明細書
【補正対象項目名】０００８
【補正方法】削除
【補正の内容】
【手続補正１１】
【補正対象書類名】明細書
【補正対象項目名】００１０
【補正方法】変更
【補正の内容】
【００１０】
【発明が解決しようとする課題】
請求項１〜３の目的は、転写紙の紙曲がりを補正するための３本のローラを同一のモーターで駆動することによりモーターの数を減らし、且つモーターと各駆動系にワンウェイクラッチを配置することによりコストダウン及び小型化が実現可能な画像形成装置、又、信頼性に劣る電磁クラッチを不要とすることにより信頼性を向上させた画像形成装置を提供することにある。
【手続補正１２】
【補正対象書類名】明細書
【補正対象項目名】００１１
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】変更
【補正の内容】
【００１７】
１．スイッチバック方式又はスタック方式の自動両面プリントの画像形成装置に於いて、給紙トレイからの転写紙をレジストローラに付当ててレジストするためのループローラ（第１ローラ）、ＡＤＵを循環した転写紙をプレレジストするために転写紙を付当てるＡＤＵプレレジストローラ（第２ローラ）及び手差しトレイから給紙するための手差し給紙ローラ（第３ローラ）を全て同一のモーターにより駆動し、モーターをある方向に回転させた場合は該第１と第２ローラが駆動され、該方向と逆方向にモーターを回転させた場合は該第３ローラが駆動される様、モーターと各駆動系にワンウェイクラッチを配置したことを特徴とする画像形成装置。
【手続補正１８】
【補正対象書類名】明細書
【補正対象項目名】００１８
【補正方法】変更
【補正の内容】
【００１８】
２．前記モーターの動作タイミングが、通紙経路上の第１ローラ、第２ローラ及び第３ローラのそれぞれの近傍に配置された３つのフォトセンサを転写紙先端又は後端が通過した点を基準として決定され、回転制御及び駆動を行うことを特徴とする前記１項に記載の画像形成装置。
【手続補正１９】
【補正対象書類名】明細書
【補正対象項目名】００１９
【補正方法】変更
【補正の内容】
【００１９】
３．前記モーターがステッピングモーターであることを特徴とする前記１項又は２項に記載の画像形成装置。
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００４１
【補正方法】変更
【補正の内容】
【００４１】
【発明の効果】
転写紙を搬送する３本のローラを同一のモーターで駆動し、コストダウン及び小型化するとともに電磁クラッチを不要とすることにより信頼性が向上した画像形成装置の提供することが出来た。
【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
電子写真式の画像形成部を構成する感光体の周面に対してカウンター方向に配設されて先端部で
摺接するクリーニングブレードにおいて、
感光体が回転する際にその周面に接触する接触部分Ａの摩擦係数をμＡとし、該接触部分Ａの周辺部分Ｂの摩擦係数をμＢとした場合に、各部分Ａ、Ｂの各摩擦係数μＡ、μＢの関係が、μＡ＞μＢとなるように構成したことを特徴とするクリ−ニングブレ−ド。
【請求項２】
前記クリ−ニングブレ−ドの前記周辺部分Ｂの表面にダイヤモンド状炭素膜をコ−ティングした
ことを特徴とする請求項１記載のクリ−ニングブレ−ド。
【請求項３】
前記クリ−ニングブレ−ドの前記周辺部分Ｂの表面にフッ素系の薄膜シートを接着したことを特
徴とする請求項１記載のクリ−ニングブレ−ド。
【請求項４】
前記クリ−ニングブレ−ドの前記周辺部分Ｂの表面にシリコンオイル等の液体状の潤滑材を塗布
したことを特徴とする請求項１記載のクリ−ニングブレ−ド。
【請求項５】
少なくとも、請求項１、２、３、或は４に記載の前記クリーニングブレードを含むクリーニング装置と、前記感光体とを、１ユニット化したことを特徴とするプロセスカ−トリッジ。
【請求項６】
電子写真式の画像形成部を構成する感光体と、該感光体の周面に対してカウンター方向に配設されて先端部で摺接するクリーニングブレードを含むクリーニング装置とを有する画像形成装置において、
前記クリーニングブレードとして、請求項１、２、３、或は４に記載の前記クリーニングブレードを用いたことを特徴とする画像形成装置。
【手続補正２】
【補正対象書類名】明細書
【補正対象項目名】０００４
【補正方法】変更
【補正の内容】
【０００４】
【発明が解決しようとする課題】
本発明は上記問題点に鑑みてなされたものであり、めくれ防止効果が少なく、且つ作業が煩雑な各種の剤をブレードエッジに塗布する作業を行うことなく、長期に亙って安定しためくり防止効果を発揮することができるクリーニングブレード、プロセスカートリッジ及び画像形成装置を提供することを課題とする。
【手続補正３】
【補正対象書類名】明細書
【補正対象項目名】０００５
【補正方法】変更
【補正の内容】
【０００５】
【課題を解決するための手段】
上記課題を達成する為、請求項１の発明は、電子写真式の画像形成部を構成する感光体の周面に対してカウンター方向に配設されて先端部で摺接するクリーニングブレードにおいて、感光体が回転する際にその周面に接触する接触部分Ａの摩擦係数をμＡとし、該接触部分Ａの周辺部分Ｂの摩擦係数をμＢとした場合に、各部分Ａ、Ｂの各摩擦係数μＡ、μＢの関係が、μＡ＞μＢとなるように構成したことを特徴とする。
請求項２の発明は、前記クリ−ニングブレ−ドの前記周辺部分Ｂの表面にダイヤモンド状炭素膜をコ−ティングしたことを特徴とする。
請求項３の発明は、前記クリ−ニングブレ−ドの前記周辺部分Ｂの表面にフッ素系の薄膜シートを接着したことを特徴とする。
請求項４の発明は、前記クリ−ニングブレ−ドの前記周辺部分Ｂの表面にシリコンオイル等の液体状の潤滑材を塗布したことを特徴とする。
請求項５の発明は、少なくとも、請求項１、２、３、或は４に記載の前記クリーニングブレードを含むクリーニング装置と、前記感光体とを、１ユニット化したことを特徴とする。
請求項６の発明は、電子写真式の画像形成部を構成する感光体と、該感光体の周面に対してカウンター方向に配設されて先端部で摺接するクリーニングブレードを含むクリーニング装置とを有する画像形成装置において、前記クリーニングブレードとして、請求項１、２、３、或は４に記載の前記クリーニングブレードを用いたことを特徴とする。
【手続補正書】
【提出日】平成17年1月7日(2005.1.7)
【手続補正１】
【補正対象書類名】明細書
【補正対象項目名】００２８
【補正方法】変更
【補正の内容】
【００２８】
また、本実施の形態において、中間転写ベルト２３は、複数の張架ロール２３１，２３３，２３５間に循環回転可能に掛け渡されたものであり、各感光体ユニット３０の感光体ドラム３１に対応した中間転写ベルト２３の裏面には一次転写器（本例では一次転写ロール）５１が配設され、この一次転写器５１にトナーの帯電極性と逆極性の電圧を印加することで、感光体ドラム３１上のトナー像を中間転写ベルト２３側に静電的に転写するようになっている。
【手続補正２】
【補正対象書類名】図面
【補正対象項目名】図３
【補正方法】変更
【補正の内容】
【図３】
2002091133.tif 000001
【手続補正書】
【提出日】平成17年7月21日(2005.7.21)
【手続補正１】
【補正対象書類名】明細書
【補正対象項目名】特許請求の範囲
【補正方法】変更
【補正の内容】
【特許請求の範囲】
【請求項１】
音声認識の対象とする音声の区間を検出する音声区間検出手段を備えた音声認識システムであって、
前記音声区間検出手段は、
予め音声の特徴を学習ベクトルとして生成する学習ベクトル生成手段と、
発話によって生じる入力音声の特徴ベクトルと前記学習ベクトルの内積を求め、その内積値が所定値以上となるときを音声区間と判定する内積値判定手段とを備え、
前記内積値判定手段で判定される音声区間における前記入力音声を音声認識の対象とすることを特徴とする音声認識システム。
【請求項２】
音声認識の対象とする音声の区間を検出する音声区間検出手段を備えた音声認識システムであって、
前記音声区間検出手段は、
予め音声の特徴を学習ベクトルとして生成する学習ベクトル生成手段と、
非音声期間内に生じる入力音声の線形予測残差パワーに基づいて、音声と雑音とを識別するための閾値を生成する閾値生成手段と、
発話によって生じる入力音声の特徴ベクトルと前記学習ベクトルの内積を求め、その内積値が所定値以上となるときを音声区間と判定する内積値判定手段と、
前記発話によって生じる入力音声の線形予測残差パワーが前記閾値生成手段で生成された閾値より大きくなるときを音声区間と判定する線形予測残差パワー判定手段とを備え、
前記内積値判定手段と線形予測残差パワー判定手段で判定される音声区間における前記入力音声を音声認識の対象とすることを特徴とする音声認識システム。
【請求項３】
前記非音声期間内に生じる入力音声の特徴ベクトルと前記学習ベクトルの内積を求め、その内積値が所定値以上になるときには、前記内積値判定手段の判定処理を停止させる誤判定制御手段を備えることを特徴とする請求項２に記載の音声認識システム。
【請求項４】
前記非音声期間内によって生じる入力音声の線形予測残差パワーを求める演算手段を備えると共に、
前記演算手段が求める前記線形予測残差パワーが所定値以下になるときには、前記内積値判定手段の判定処理を停止させる誤判定制御手段を備えることを特徴とする請求項２に記載の音声認識システム。
【請求項５】
前記非音声期間内によって生じる入力音声の線形予測残差パワーを求める演算手段を備えると共に、
前記非音声期間内に生じる入力音声の特徴ベクトルと前記学習ベクトルの内積を求めその内積値が所定値以上になるとき、または、前記非音声期間内に生じる入力音声の線形予測残差パワーが所定値以下になるときには、前記内積値判定手段の判定処理を停止させる誤判定制御手段を備えることを特徴とする請求項２に記載の音声認識システム。
【手続補正２】
【補正対象書類名】明細書
【補正対象項目名】００４９
【補正方法】変更
【補正の内容】
【００４９】
更に第１の検出部１００には、実際に発話された入力音声のデータＳaを上記同様のフレーム単位に区分けして出力するフレーム化部１６と、フレーム単位の入力音声データＳafをＬＰＣ分析することにより、ケプストラム領域でのＭ次元の特徴ベクトルＡと予測残差パワーεとを求めるＬＰＣケプストラム演算部１７と、学習ベクトルＶと特徴ベクトルＡの内積ＶTＡを求める内積演算部１８と、内積ＶTＡを所定の閾値θと比較し、θ≦ＶTＡのときに音声区間と判定する第１の閾値判定部１９が備えられており、第１の閾値判定部１９の判定結果Ｄ１を音声区間決定部３００に供給するようになっている。
【手続補正３】
【補正対象書類名】明細書
【補正対象項目名】００９６
【補正方法】変更
【補正の内容】
【００９６】
また、非音声期間内に生じる背景音の特徴ベクトルと学習ベクトルの内積の値が所定値以上になる場合、又は、非音声期間内に生じる入力音声の線形予測残差パワーが所定値以下になる場合、又は、これら両者の場合に、入力音声の特徴ベクトルとの内積の値に基づいて音声区間の検出を行わず、実際の発話によって生じる入力音声の予測残差パワーが所定閾値より大きくなるときを声音区間とすることとしたので、ＳＮ比が高くなって背景音のスペクトルが高域で高くなるような背景下での音声区間の検出精度を向上させることができる。
【手続補正書】
【提出日】平成17年6月8日(2005.6.8)
【手続補正１】
【補正対象書類名】明細書
【補正対象項目名】特許請求の範囲
【補正方法】変更
【補正の内容】
【特許請求の範囲】
【請求項１】
描画すべきオブジェクトの種類を識別し、識別したオブジェクトの種類に応じて描画を行う画像処理方法であって、
テキストオブジェクトの種類を指示するコマンドについて、描画すべき文字列のオブジェクトの種類をテキストとして識別し、描画すべき文字列に付加すべき装飾線のオブジェクトの種類をグラフィクスとして識別することを特徴とする画像処理方法。
【請求項２】
描画を指示するコマンドを入力し、
該入力コマンドによって指示される描画すべきオブジェクトの種類を識別し、
該入力コマンドがテキストオブジェクトの描画を指示する場合、描画すべき文字列のオブジェクトの種類をテキストとして識別し、描画すべき文字列に付加すべき装飾線のオブジェクトの種類をグラフィクスとして識別し、
識別されたオブジェクトの種類に応じて描画を行うことを特徴とする画像処理方法。
【請求項３】
前記描画処理には色処理が含まれることを特徴とする請求項１又は請求項２に記載された画像処理方法。
【請求項４】
描画すべきオブジェクトの種類を識別し、識別したオブジェクトの種類に応じて描画を行う画像処理装置であって、
テキストオブジェクトの種類を指示するコマンドが入力される場合、描画すべき文字列のオブジェクトの種類をテキストとして識別し、描画すべき文字列に付加すべき装飾線のオブジェクトの種類をグラフィクスとして識別する識別手段を有することを特徴とする画像処理装置。
【請求項５】
描画を指示するコマンドを入力する入力手段と、
入力コマンドによって指示される描画すべきオブジェクトの種類を識別する識別手段と、
識別されたオブジェクトの種類に応じて描画を行う描画手段とを有し、
前記識別手段は、テキストオブジェクトの描画を指示するコマンドが入力される場合、描画すべき文字列のオブジェクトの種類をテキストとして識別し、描画すべき文字列に付加すべき装飾線のオブジェクトの種類をグラフィクスとして識別することを特徴とする画像処理装置。
【請求項６】
前記描画処理には色処理が含まれることを特徴とする請求項４又は請求項５に記載された画像処理装置。
【請求項７】
コンピュータに、描画すべきオブジェクトの種類を識別させ、識別したオブジェクトの種類に応じて描画を行わせるための画像処理のプログラムを格納した記憶媒体であって、
テキストオブジェクトの描画を指示するコマンドについて、描画すべき文字列の背景のオブジェクトの種類をテキストとして識別させ、描画すべき文字列の背景のオブジェクトの種類をグラフィクスとして識別させることを特徴とするプログラムを格納したことを特徴とするコンピュータ読み取り可能な記憶媒体。
【請求項８】
描画を指示するコマンドを入力する入力手順と、
入力コマンドによって指示される描画すべきオブジェクトの種類を識別する識別手順と、
識別されたオブジェクトの種類に応じて描画を行う描画手順とをコンピュータに実行させるためのプログラムを格納した記憶媒体であって、
前記識別手順が、テキストオブジェクトの描画を指示するコマンドの場合、描画すべき文字列のオブジェクトの種類をテキストとして識別し、描画すべき文字列に付加すべき装飾線のオブジェクトの種類をグラフィクスとして識別することを特徴とするプログラムを格納したことを特徴とするコンピュータ読み取り可能な記憶媒体。
【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
印刷装置からの情報に基づいて、当該印刷装置に送信されたジョブの処理結果を確認可能な情報処理装置であって、
前記印刷装置からログ情報を取得するログ取得手段と、
前記ログ取得手段により取得されたログ情報に基づいて、前記ジョブの処理結果を判定する判定手段とを有することを特徴とする情報処理装置。
【請求項２】
前記ジョブの処理結果を示す通知を前記印刷装置から受信する受信手段を有し、
前記受信手段により前記通知が受信されないのに応じて、前記ログ取得手段は、ログ情報を取得し、前記判定手段は、取得されたログ情報に基づいて当該ジョブの処理結果を判定することを特徴とする請求項１に記載の情報処理装置。
【請求項３】
前記判定手段による判定結果に基づいて、前記ジョブの処理結果を示す情報を外部装置に通知する通知手段を有することを特徴とする請求項１に記載の情報処理装置。
【請求項４】
前記ログ取得手段は、前記印刷装置に格納されている全てのログ情報のうち、新しいものから所定数だけを取得することを特徴とする請求項１乃至３のいずれかに記載の情報処理装置。
【請求項５】
前記印刷装置は、各ジョブの処理結果を示すログ情報をキューで管理し、
前記取得手段は、キューの追加位置から所定数だけさかのぼってログ情報を取得することを特徴とする請求項４に記載の情報処理装置。
【請求項６】
印刷装置からの情報に基づいて、当該印刷装置に送信されたジョブの処理結果を確認可能な制御プログラムが格納された、コンピュータにより読取可能な記録媒体であって、前記制御プログラムは、
前記印刷装置からログ情報を取得するログ取得ステップ前記ログ取得ステップにより取得されたログ情報に基づいて、前記ジョブの処理結果を判定する判定ステップとを装置に実行させることを特徴とする記録媒体。
【請求項７】
印刷装置からの情報に基づいて、当該印刷装置に送信されたジョブの処理結果を確認可能な制御プログラムであって、
前記印刷装置からログ情報を取得するログ取得ステップ前記ログ取得ステップにより取得されたログ情報に基づいて、前記ジョブの処理結果を判定する判定ステップとを装置に実行させることを特徴とする制御プログラム。
【請求項８】
前記ジョブの処理結果を示す通知を前記印刷装置から受信する受信ステップを前記装置に実行させ、
前記受信ステップにより前記通知が受信されないのに応じて、前記ログ取得ステップは、ログ情報を取得し、前記判定ステップは、取得されたログ情報に基づいて当該ジョブの処理結果を判定することを特徴とする請求項７に記載の制御プログラム。
【請求項９】
前記判定ステップによる判定結果に基づいて、前記ジョブの処理結果を示す情報を外部装置に通知する通知ステップを前記装置に実行させることを特徴とする請求項７に記載の制御プログラム。
【請求項１０】
前記ログ取得ステップは、前記印刷装置に格納されている全てのログ情報のうち、新しいものから所定数だけを取得することを特徴とする請求項７乃至９のいずれかに記載の制御プログラム。
【請求項１１】
前記印刷装置は、各ジョブの処理結果を示すログ情報をキューで管理し、
前記取得ステップは、キューの追加位置から所定数だけさかのぼってログ情報を取得することを特徴とする請求項１０に記載の制御プログラム。
【請求項１２】
前記取得ステップは、前記印刷装置の印刷枚数速度に基づいて、前記所定数を算出することを特徴とする請求項１０或いは１１に記載の制御プログラム。
【請求項１３】
前記取得ステップは、ログ情報を取得する間隔に基づいて、前記所定の数を算出することを特徴とする請求項１０乃至１２に記載の制御プログラム。
【請求項１４】
印刷装置からの情報に基づいて、当該印刷装置に送信されたジョブの処理結果を情報処理装置で確認可能なプリントシステムにおける処理結果確認方法であって、
前記印刷装置からログ情報を取得するログ取得ステップと、
前記ログ取得ステップにより取得されたログ情報に基づいて、前記ジョブの処理結果を判定する判定ステップとを有することを特徴とする処理結果確認方法。
【請求項１５】
前記ジョブの処理結果を示す通知を前記印刷装置から前記情報処理装置へ転送するステップを有し、
前記転送ステップにより前記通知が転送されないのに応じて、前記ログ取得ステップは、ログ情報を取得し、前記判定ステップは、取得されたログ情報に基づいて当該ジョブの処理結果を判定することを特徴とする請求項１４に記載の処理結果確認方法。
【請求項１６】
前記判定ステップによる判定結果に基づいて、前記ジョブの処理結果を示す情報を前記情報処理装置から外部装置に通知する通知ステップを有することを特徴とする請求項１４に記載の処理結果確認方法。
【請求項１７】
前記ログ取得ステップは、前記印刷装置に格納されている全てのログ情報のうち、新しいものから所定数だけを取得することを特徴とする請求項１４乃至１６のいずれかに記載の処理結果確認方法。
【請求項１８】
各ジョブの処理結果を示すログ情報をキューで管理する管理ステップとを有し、
前記取得ステップは、キューの追加位置から所定数だけさかのぼってログ情報を取得することを特徴とする請求項１７に記載の処理結果確認方法。
【請求項１９】
前記取得ステップは、前記印刷装置の印刷枚数速度に基づいて、前記所定数を算出することを特徴とする請求項１７或いは１８に記載の処理結果確認方法。
【請求項２０】
前記取得ステップは、ログ情報を取得する間隔に基づいて、前記所定の数を算出することを特徴とする請求項１７乃至１９に記載の処理結果確認方法。
【手続補正書】
【提出日】平成17年7月13日(2005.7.13)
【手続補正１】
【補正対象書類名】明細書
【補正対象項目名】図面の簡単な説明
【補正方法】変更
【補正の内容】
【図面の簡単な説明】
【図１】  本発明の一実施例であるパチンコ遊技機の遊技盤の正面図である。
【図２】  パチンコ遊技機の電気的構成を示したブロック図である。
【図３】  リセット割込処理を示したフローチャートである。
【図４】  乱数カウンタ更新処理を示したフローチャートである。
【符号の説明】
３                    液晶（ＬＣＤ）ディスプレイ
４                    図柄作動ゲート
５                    特定入賞口
１３                  制御部のＲＡＭ
１３ａ                乱数カウンタ
１３ｂ                初期値カウンタ
１３ｃ                初期値メモリ
Ｃ                    制御部
Ｄ                    表示装置
Ｐ                    パチンコ遊技機（弾球遊技機）
【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
揺動可能に構成され、複数の遊戯者が乗る乗り物と、
前記遊戯者に対し予め定められたシナリオに基づき三次元空間内で移動する移動体を所定の視点から見た画像を表示する表示手段と、
前記遊戯者が前記画像を見ながら前記乗り物の所定の操作を行うことにより、前記三次元空間内で前記移動体を移動させて競技者が競技を行うゲームの処理を実行する処理部と、
を備えた遊戯装置において、
前記乗り物は、前記複数の遊戯者のそれぞれの操作を検出する複数のセンサと、前記乗り物を揺動させるシリンダと、前記シリンダを駆動するための配管系と、を備え、
前記センサは、前記移動体の進行方向に関する操作を検出する舵角センサを備え、
前記処理部は、前記舵角センサの出力信号に基づき、前記複数の遊戯者のそれぞれの操作量を処理して前記シリンダを制御する、
ことを特徴とする遊戯装置。
【請求項２】
揺動可能に構成され、複数の遊戯者が乗る乗り物と、
前記遊戯者に対し予め定められたシナリオに基づき三次元空間内で移動する移動体を所定の視点から見た画像を表示する表示手段とを備え、
前記遊戯者が前記画像を見ながら前記乗り物の所定の操作を行うことにより、前記三次元空間内で前記移動体を移動させて競技者が競技を行うゲームの処理を実行する処理部と、
を備えた遊戯装置において、
前記乗り物は、前記複数の遊戯者のそれぞれの操作を検出する複数のセンサと、前記乗り物を揺動させるシリンダと、前記シリンダを駆動するための配管系と、を備え、
前記センサは、前記移動体の速さに関する操作を検出する回転センサを備え、前記処理部は、前記回転センサの出力信号に基づき、前記複数の遊戯者のそれぞれの操作量うちいずれか一方の操作量に基づいて処理して前記シリンダを制御する、
ことを特徴とする遊戯装置。
【請求項３】
前記表示手段は、前記乗り物の前方画面を表示する第1表示部と、前記乗り物の下方画面を表示する第2表示部と、を備えることを特徴とする請求項１又は２いずれか記載の遊戯装置。
【請求項４】
前記処理部は、ゲームシナリオにおいて、前記三次元空間内で前記移動体が移動する領域の凹凸の程度に応じて振幅とその周波数を定めて前記シリンダを制御することを特徴とする請求項１乃至請求項４いずれか記載の遊戯装置。
【請求項５】
前記処理部は、ゲームシナリオにおいて、前記三次元空間内で移動する前記移動体の速度に応じて振幅とその周波数を定めて前記シリンダを制御することを特徴とする請求項１乃至請求項４いずれか記載の遊戯装置。
【請求項６】
前記処理部は、前記回転センサの出力信号に応じて前記移動体の速さを変化させるとともに、ある回転以上であるときに前記移動体の速さに上限を設けることを特徴とする請求項２記載の遊戯装置。
【請求項７】
前記処理部は、前記三次元空間内において、前記競技者が前記移動体をスタートからゴールまで移動させて順位を競うゲームの処理を実行するものであって、
ゲームのスタート時点において前記移動体を表示するときに前記競技者以外の視点から見た客観画像とし、その後の競争中においては前記競技者の視点から見た主観画像に切り替え、前記移動体がゴールから所定の距離以内に到達したときに、前記主観画像から前記客観画像に切り替えて、前記表示手段に表示させるように制御することを特徴とする請求項１または２いずれか記載の遊戯装置。
【請求項８】
前記処理部は、前記三次元空間内において、複数の競技者がそれぞれの移動体をスタートからゴールまで移動させて順位を競うゲームの処理を実行するものであって、
所定の数以上の他の競技者と競争しているときに、前記競技者の視点から見た主観画像から前記競技者以外の視点から見た客観画像に切り替えて、前記移動体を前記表示手段に表示させるように制御することを特徴とする請求項１または２いずれか記載の遊戯装置。
【請求項９】
請求項１，２，７又は８に記載の、前記遊戯装置用乗り物。
【手続補正書】
【提出日】平成17年4月18日(2005.4.18)
【手続補正１】
【補正対象書類名】明細書
【補正対象項目名】００４１
【補正方法】変更
【補正の内容】
【００４１】
この発明の感圧転写媒体Ｔを、たとえば暗記用などに使用する際には、被転写体へ転写された着色転写層３０が、消しゴムなどではく離摩擦してやると被転写体から簡単に除去される、易はく離性を有しているのが好ましい。
【手続補正２】
【補正対象書類名】明細書
【補正対象項目名】００４３
【補正方法】変更
【補正の内容】
【００４３】
たとえば暗記が済んだあとや、着色転写層３０を被転写体上の誤った位置（暗記したくない部分）に転写して、被転写体上の着色転写層３０の位置変更（すなわち、貼り直し）を行いたい場合に、着色転写層３０が易はく離性を有していると、消しゴムなどではく離摩擦することで、被転写体の種類にかかわらず、被転写体を痛めたり、着色転写層３０を被転写体上に残したりせずに、被転写体から簡単に除去することができる。
【手続補正３】
【補正対象書類名】明細書
【補正対象項目名】００４４
【補正方法】変更
【補正の内容】
【００４４】
着色転写層３０に易はく離性を付与するためには、感圧接着層３２の粘着力が、ＪＩＳ Ｚ ０２３７に基づく測定方法で２００ｇ／ｃｍ以下であるのが好ましい。
【手続補正４】
【補正対象書類名】明細書
【補正対象項目名】００４６
【補正方法】変更
【補正の内容】
【００４６】
かかる粘着力を有する感圧接着層３２を用いることによって、例えば気温の低い時期や場所などで感圧転写媒体を使用する際に、指や被転写体の温度が当該感熱着色剤の境界温度よりも低く、着色転写層３０が指などに触れただけでは容易に透明化しない場合においても、着色転写層３０の表面を被転写体上から剥離しない程度に指などでこすり、その摩擦による加熱（加熱摩擦）をもって当該着色転写層３０を透明化することができる。
【手続補正５】
【補正対象書類名】明細書
【補正対象項目名】００７８
【補正方法】変更
【補正の内容】
【００７８】
実用試験
上記各実施例の感圧転写媒体を幅６ｍｍ、長さ３ｍのテープ状にスリットして、図２(a)(b)に示した感圧転写具〔ゼネラル（株）製の商品名「くっきり」〕の供給リール１１に巻き付けて、器体１０内に装着した。
【手続補正書】
【提出日】平成16年7月27日(2004.7.27)
【手続補正１】
【補正対象書類名】明細書
【補正対象項目名】特許請求の範囲
【補正方法】変更
【補正の内容】
【特許請求の範囲】
【請求項１】
リング状のノイズ成分を有するｘ−ｙ直交座標系の画像をｒ−θ回転座標系に座標変換することで、前記ｘ−ｙ直交座標系上のリング状のノイズ成分をθ方向の直線成分に変換して抽出するステップと、
前記抽出したθ方向の直線成分をｘ−ｙ直交座標系のリング状のノイズ成分の画像とす
るステップと、
前記画像から前記リング状のノイズ成分の画像を差分することで前記画像の前記リング
状のノイズ成分を除去するステップと、からなる画像補正方法。
【請求項２】
回転検出系により取得した投影データに含まれたリングアーチファクト成分を除去する画像補正方法であり、
前記投影データからｘ−ｙ直交座標系の再構成画像を再構成するステップと、
前記ｘ−ｙ直交座標系の再構成画像をｒ−θ回転座標系に座標変換して、ｒ−θ画像を取得するステップと、
前記ｒ−θ画像からリングアーチファクト成分をθ方向の直線成分として抽出するステップと、
前記直線成分として抽出したリングアーチファクト成分をｘ−ｙ直交座票系の画像に変換するステップと、
ｘ−ｙ直交座標系に変換されたリングアーチファクト成分の画像をｘ−ｙ直交座標系の再構成画像から差し引いて補正した再構成画像を作成するステップと、からなる画像補正方法。
【請求項３】
前記ｒ−θ画像からリングアーチファクト成分をθ方向の直線成分として抽出するステップでは、
前記ｒ−θ回転座標系に座標変換したデータ中、ｒ方向に並ぶＣＴ値の参照値に対する差分値を前記直線成分の一部としてｒ方向に抽出し、
前記抽出した直線成分の一部としての前記差分値のうち、所定の閾値範囲内のものをθ方向に加重加算あるいは再帰型フィルタ処理をしてリングアーチファクト成分を抽出することを特徴とする請求項２に記載の画像補正方法。
【請求項４】
前記差分値を求めるのに使用する前記参照値は、前記ｒ方向において左右に隣接するＣＴ値の平均値であり、
前記ｒ方向に並ぶＣＴ値が所定値以下の場合は、前記値の参照値に対するそのＣＴ値の
差分値を前記θ方向の直線成分の一部としてｒ方向に抽出し、
前記ｒ方向に並ぶＣＴ値が所定値より大きい場合は、前記差分値を０とすることを特徴と
する請求項３に記載の画像補正方法。
【請求項５】
前記Ｘ線ビームを所定の開き角αで照射するＸ線発生系と、
被検体を挟んで前記Ｘ線発生系と対向する位置に配置され、Ｘ線発生系とともに回転可能なＸ線検出系と、
前記Ｘ線発生系に電力を供給する高電圧発生装置と、
前記Ｘ線検出系で取得された計測データを投影データにし、さらに前記投影データを逆
投影して再構成画像を得るための画像処理装置と、
を備えたＸ線ＣＴ装置において、
前記再構成画像を、距離ｒと角度θとからなるｒ−θ回転座標系上に座標変換する手段と、
上記回転により再構成画像内に生じるリングアーチファクト成分をｒ−θ回転座標系上のθ方向の直線成分として抽出する手段と、
前記抽出されたｒ−θ回転座標系におけるθ方向の直線成分を前記直交座標系ｘ−ｙに
座標変換して、前記再成画像から差し引いて補正画像を得る手段と、からなることを特徴
とするＸ線ＣＴ装置。
【請求項６】
前記再構成画像を得る再構成画像視野と、ｒ−θ回転座標系での計算視野とを、それら視野の少なくとも一部の座標が対応するように選ぶ視野選択手段をさらに備えたことを特徴とする請求項５のＸ線ＣＴ装置。
【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
水平軸の回りに傾斜可能な患者台と、
上記患者台の縦方向に変位可能な画像変換器装置と、
上記画像変換器装置に対して整列される患者台の上方のＸ線源とを含むＸ線検査装置であって、
上記Ｘ線源は、垂直方向に変位可能であるよう水平に変位可能なスタンドに取り付けられ、患者台を傾斜する際にスタンド及びＸ線源が画像変換器装置及びＸ線源の相互間の距離及び整列が同じに維持されるよう変位されるよう機械的連結部材を通じて上記患者台に連結されうることを特徴とするＸ線検査装置。
【請求項２】
上記Ｘ線源は、その中央軸の回りに傾斜可能であり連結部材に対して分離可能に接続される水平アームに取り付けられることを特徴とする、請求項１記載のＸ線検査装置。
【請求項３】
上記アームはスタンド上で垂直方向に変位可能な可動台に接続されることを特徴とする、請求項２記載のＸ線検査装置。
【請求項４】
上記アームは垂直軸の回りに傾斜可能であるよう可動台に接続されることを特徴とする、請求項３記載のＸ線検査装置。
【請求項５】
連結手段が設けられ、それにより第１の動作モードでは上記連結部材はＸ線源と画像変換器装置との間にしっかりとした連結を確立し、また第２の動作モードでは上記連結部材はＸ線源と画像変換器装置の少なくとも一部分との間に反対方向の変位を与えることを特徴とする、請求項１記載のＸ線検査装置。
【請求項６】
上記連結部材は患者台の縦方向に変位可能な可動台に連結されたスライス高さ調整用のユニットを含み、
上記連結部材はその高さが調整されうる連結点においてスライス高さ調整用のユニットに蝶番式に取り付けられ、
上記可動台は第１の動作モードでは自由に変位され、第２の動作モードでは患者台に対して動きを阻止されうることを特徴とする、請求項５記載のＸ線検査装置。
【請求項７】
上記患者台は上記患者台の縦方向に変位可能な可動台に対して作用する駆動装置を含み、
上記連結部材は連結点から離れた点においてこの可動台に連結されることを特徴とする、請求項６記載のＸ線検査装置。
【請求項８】
上記画像変換器装置は、連結部材に連結され、患者台の縦方向に変位可能な夫々の可動台に取り付けられた透視画像変換器及び露光画像変換器を含むことを特徴とする、請求項５記載のＸ線検査装置。
【請求項９】
上記透視画像変換器及びスライス高さ調整用ユニットは共通の可動台上に設けられ、
上記患者台は上記患者台の縦方向に変位可能な可動台に対して作用する第１の駆動装置を含み、
上記連結部材は連結点から離れた点においてこの可動台に連結され、
上記連結手段は第１の動作モードでは２つの可動台を相互に連結させ、第２の動作モードでは透視画像変換器を有する可動台を患者台に対して動きを阻止することを特徴とする請求項６及び８記載のＸ線装置。
【請求項１０】
上記透視画像変換器を有する可動台に対して作用する第２の駆動装置が設けられ、
２つの駆動装置は、第１のモードでは２つの可動台が同じ速度及び同じ方向で変位され、第２のモードでは第２の駆動装置は非作動とされるよう制御されることを特徴とする、請求項９記載のＸ線装置。
【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
人体の輸送管路内において使用されるステントであって、
螺旋状に巻きつけられたワイヤー（２，３）から構成されるとともに基端(４) および先端（５）を有する可撓性で自己拡張形の編み込まれた管状壁（１）を備え、前記ワイヤーがそれぞれ互いに異なる第１および第２の方向に巻きつけられて複数の交点を形成するステントにおいて、
前記管状壁（１）のワイヤーが、複数の前記交点において、前記管状壁（１）から半径方向に遠ざかって延びる隆起部（７，１２，１３）を形成するように形づけられ、前記隆起部が前記複数の交点において、前記螺旋状に巻きつけられたワイヤー（２，３）同士の間の動きを限定するように構成されていることを特徴とするステント。
【請求項２】
前記隆起部（７，１２，１３）が半径方向外側へ延びていることを特徴とする請求項１に記載のステント。
【請求項３】
前記隆起部（７，１２，１３）が一定の隆起部のパターンを形成するように規則正しく前記管状壁（１）上に配置されることを特徴とする請求項１に記載のステント。
【請求項４】
前記隆起部のパターンが、螺旋状の隆起部のパターン、前記管状壁の周りを周方向に延びる隆起部のパターンおよび軸線方向に延びる隆起部のパターンよりなる隆起部のパターンの群から選択されることを特徴とする請求項３に記載のステント。
【請求項５】
前記隆起部（７）が前記管状壁（１）上に螺旋状の隆起部のパターンを形成することを特徴とする請求項４に記載のステント。
【請求項６】
前記螺旋状の隆起部のパターンが、編み込まれた前記管状壁における前記ワイヤー（２，３）のピッチと異なるピッチを有することを特徴とする請求項５に記載のステント。
【請求項７】
前記隆起部（７，１２，１３）が、前記基端および前記先端（４，５）においてより高い密度で配置されることを特徴とする請求項１に記載のステント。
【請求項８】
人体の輸送管路内において使用されるステントにおいて、
複数の細長いワイヤーであって、互いが交差する複数の交点を形成するように螺旋状に巻きつけられたワイヤー（２，３）を有する、可撓性で自己拡張形のメッシュ状管状壁（１）を備え、
複数の前記交点において、互いに交差する前記細長いワイヤーが、前記メッシュ状管状壁（１）から半径方向に遠ざかって延びる隆起部（７，１２，１３）を形成するように形づけられ、
前記隆起部が、前記管状壁（１）上に、少なくとも１つの隆起部のパターンで配置されていることを特徴とするステント。
【請求項９】
前記隆起部（７，１２，１３）が、編み込まれた前記管状壁（１）から半径方向外側へ延びていることを特徴とする請求項８に記載のステント。
【請求項１０】
前記細長いワイヤー（２，３）が螺旋状に巻き付けられており、
前記隆起部のパターンが、前記メッシュ状管状壁の周りを周方向に延びる隆起部のパターン、軸線方向に延びる隆起部のパターン、および前記細長いワイヤー（２，３）のピッチと異なるピッチを有する螺旋状の隆起部のパターンよりなる隆起部のパターンの群から選択されることを特徴とする請求項８に記載のステント。
【請求項１１】
前記メッシュ状管状壁（１）が基端(４)および先端（５）をそれぞれ有し、前記複数の交点における前記隆起部が、前記基端および前記先端（４，５）においてより高い密度で配置されることを特徴とする請求項８に記載のステント。
【請求項１２】
互いに異なる第１および第２の方向に巻きつけられて複数の交点を形成する細長いワイヤー（２，３）を有する管状メッシュ構造（１）を準備すること、
一定の隆起部のパターンを備えた略円筒形の外側表面を有する心棒の上に、前記管状メッシュ構造を配置することにより、前記管状メッシュ構造を、前記心棒の外側表面によって決まる選択された形状に形成し、その際、複数の前記交点が前記隆起部のパターンに対して重なり合うように配置することにより、前記複数の交点において、前記管状メッシュ構造から半径方向に遠ざかって延びる隆起部（７，１２，１３）を、前記隆起部のパターンで形成すること、
前記管状メッシュ構造を、前記心棒の上に配置したまま加熱すること、および、
冷却後に、前記管状メッシュ構造を、前記心棒から取り外すこと、を含むステントの製造方法。
【請求項１３】
前記隆起部のパターンが本質的に外向きに形成された隆起部からなり、これにより、前記管状メッシュ構造（１）を前記心棒の上に配置することによって前記複数の交点において形成される前記隆起部（７，１２，１３）が半径方向外側へ延びるようにしたことを特徴とする請求項１２に記載のステントの製造方法。
【請求項１４】
前記管状メッシュ構造（１）が、その軸線方向の短縮とともに半径方向に拡張し、その軸線方向の伸長に応じて半径方向に縮小するように適合されており、
前記管状メッシュ構造を取り外すことは、当該管状メッシュ構造を軸線方向に圧縮することを含んでいることを特徴とする請求項１２に記載のステントの製造方法。
【請求項１５】
前記管状メッシュ構造（１）を加熱する段階が真空条件下で行われることを特徴とする請求項１２に記載のステントの製造方法。